(57)【要約】      （修正有）【課題】インナー部の裾口を適切に開閉又は調整でき、全体として脚長シルエットを崩さない、暖かな二重構造の防寒パンツを提供する。【解決手段】パンツ外装部とこのパンツ外装部９の内側に二重構造になるように装入されるインナー部１０とからなる防寒パンツであって、前記インナー部の両裾口にそれぞれスリット１１を設けて裾口１２を開くようにし、かつこのようにスリット１３により開く裾口にスナップの雄雌をスリットを挟んで設けてこのスナップを止めて裾口を閉じるようにすると共にこの閉じた状態のスナップの止め位置を複数箇所として裾口の大きさを調節できるようにしたことを特徴とする防寒パンツ。【選択図】図１
0003106118.tif 000002
【実用新案登録請求の範囲】
【請求項１】
パンツ外装部とこのパンツ外装部の内側に二重構造になるように装入されるインナー部とからなる防寒パンツであって、前記インナー部の両裾口にそれぞれスリットを設けて裾口を開くようにし、かつこのようにスリットにより開く裾口にスナップの雄雌をスリットを挟んで設けてこのスナップを止めて裾口を閉じるようにすると共にこの閉じた状態のスナップの止め位置を複数箇所として裾口の大きさを調節できるようにしたことを特徴とする防寒パンツ。
【請求項２】
パンツ外装部をストレッチ素材としたことを特徴とする請求項１記載の防寒パンツ。
【考案の詳細な説明】
【技術分野】
【０００１】
本考案は、パンツ外装部とこのパンツ外装部の内側に二重構造になるように装入されるインナー部とからなる防寒パンツに関するものである。
【背景技術】
【０００２】
従来、かかる二重構造の防寒パンツとしては、例えば実開昭５５−１６４３１３号公報（特許文献１）のものがある。この特許文献１の防寒用スラックスは、図３、図４に示すように薄い布地の表前身頃１及び表後身頃２の内側にそれぞれ薄い起毛布の裏前身頃３と裏後身頃４を添わせ、内外の布地を重ねて縫い付け又は接着して縫製している。従って、身頃が一重のものに比べて保温性には優れているが、内側の起毛布の裾口５からスラックスの脚長部内に空気が流入する構造であるので、脚長部内の保温性が著しく低下するという問題点がある。
【０００３】
かかる問題点である脚長部の裾口５からの空気の流入を防ぐものとしては、例えば実開昭５２−５７８０１号公報（特許文献２）のものがある。この特許文献２の保温被服は、図５に示すように脚長部の裾口６に内部カバー７と伸縮筒口８を設けてこれにより裾口６から被服内に空気が流入するのを防いでいる。
【０００４】
しかしながら、特許文献２のように脚長部の裾口６に内部カバー７と伸縮筒口８を設けて裾口６からの空気の流入を防止すると、脚長パンツを脱ぐ場合に伸縮筒口８が足首に密着したままのため、脚長パンツが脱ぎにくいという問題点がある。また、脚長部の裾口６の伸縮筒口８において足首を保持しているため、足首の締まり具合や脚長部内への空気の流入量を適切に調整できない問題がある。
【特許文献１】実開昭５５−１６４３１３号公報
【特許文献２】実開昭５２−５７８０１号公報
【考案の開示】
【考案が解決しようとする課題】
【０００５】
本考案は、かかる従来の防寒パンツの現状に鑑み創案されたものであり、その目的はインナー部の裾口を適切に開閉又は調整でき、全体として脚長シルエットを崩さない、暖かな二重構造の防寒パンツを提供することである。
【課題を解決するための手段】
【０００６】
請求項１の考案は、パンツ外装部とこのパンツ外装部の内側に二重構造になるように装入されるインナー部とからなるものであって、前記インナー部の両裾口にそれぞれスリットを設けて裾口を開くようにし、かつこのようにスリットにより開く裾口にスナップの雄雌をスリットを挟んで設けてこのスナップを止めて裾口を閉じるようにすると共にこの閉じた状態のスナップの止め位置を複数箇所として裾口の大きさを調節できるようにしたことを特徴とする。
【０００７】
請求項２の考案は、請求項１においてパンツ外装部をストレッチ素材としたことを特徴とする。
【考案の効果】
【０００８】
請求項１の考案は、インナー部の両裾口からの空気の流入を防いで二重構造の優れた保温性を維持できると共に、両裾口の各スナップの雄雌をそれぞれ外すと両裾口がそれぞれスリットにより開くのでこうして両裾口を開いた状態でパンツを脱ぐと両裾口が足首に引っ掛からず容易に脱げるし、両裾口の各スナップの雄雌をそれぞれ止めると両裾口がそれぞれ閉じるのでこの時各スナップの止め位置をそれぞれ選んで両裾口の大きさをそれぞれ変更調節すれば両裾口を足首に程良く密着させることができるという効果がある。
【０００９】
請求項２の考案は、ストレッチ素材からなるパンツ外装部の内側にインナー部が二重構造になるように装入されているので、全体としてゴワゴワした感じがなく、足長シルエットを崩さず暖かなパンツになるという効果がある。
【考案を実施するための最良の形態】
【００１０】
インナー部の両裾口にそれぞれスリットを設け、かつこのようにスリットにより開く両裾口に各スナップの雄雌をそれぞれスリットを挟んで設けてこの各スナップを止めて両裾口をそれぞれ閉じるようにすると共にこの閉じた状態の各スナップの止め位置を複数箇所として両裾口の大きさをそれぞれ調節できるようにすることにより、この考案を実現した。
【００１１】
実施例
本考案の一実施例を図１、図２を用いて説明する。図１は防寒パンツの全体を示す正面図、図２は図１の脚長インナー部の裾口部分を示す図である。
【００１２】
図において、９はストレッチ素材からなるパンツ外装部、１０はパンツ外装部９の内側に二重構造になるように装入されかつその腰部で縫製されるインナー部、１１はインナー部１０の両裾口（ゴム入り部分）１２にそれぞれ設けたスリット、１３はスリット１１を挟むように裾口１２に雄雌１３ａ，１３ｂを振り分けて取り付けたスナップで、その一方側を複数個（図面では雌１３ｂを２個としている）として止め位置を調節できるようにしてある。なお、スリット１１は図面では理解を容易にするために正面にあるように示しているが、本来は外側サイドにあるのが好ましい。
【００１３】
パンツを履くとき又は脱ぐときに、インナー部１０の各スナップ１３をそれぞれ外しておくと、インナー部１０の各裾口１２がそれぞれ図２に示すようにスリット１１により開くので、インナー部１０の裾口１２がゴム入り部分であっても足首に引っ掛からず、容易にパンツを履いたり、脱いだりすることができる。
【００１４】
また、パンツを履いた状態では、図１に示すようにインナー部１０の両裾口１２はそれぞれスナップ１３によりスリット１１が閉じられてゴム入り部分により足首に密着するので、各裾口１２からの空気の流入を防いで二重構造の優れた保温性が得られると共に、その際各スナップ１３の止め位置をそれぞれ選んで各裾口１２の大きさを変更調節すれば、各裾口１２を足首に程良く密着させることができる。
【００１５】
本実施例に示すようにパンツ外装部９を例えばポリエステルとポリウレタンからなるスエード調のストレッチ素材とし、かつこのパンツ外装部９の内側（例えば腰部）にインナー部１０が二重構造になるように縫製しておくと、全体としてゴワゴワした感じがなく、足長シルエットを崩さず暖かなパンツとなる。
【産業上の利用可能性】
【００１６】
本考案は、二重構造の防寒パンツに広く活用できる。
【図面の簡単な説明】
【００１７】
【図１】本考案の一実施例を示す防寒パンツの全体正面図である。
【図２】図１のインナー部の裾口部分を示す図である。
【図３】特許文献１を示す防寒用スラックスの全体正面図である。
【図４】図３の側面図である。
【図５】特許文献２を示す保温被服の裾口図である。
【符号の説明】
【００１８】
１:表前身頃
２:表後身頃
３:裏前身頃
４:裏後身頃
５：裾口
６：裾口
７：内部カバー
８：伸縮筒口
９：パンツ外装部
１０：インナー部
１１：スリット
１２：裾口
１３：スナップ
１３ａ：スナップの雄
１３ｂ：スナップの雌
【図１】
0003106118.tif 000003
【図２】
0003106118.tif 000004
【図３】
0003106118.tif 000005
【図４】
0003106118.tif 000006
【図５】
0003106118.tif 000007